【手続補正書】
【提出日】平成31年3月14日(2019.3.14)
【手続補正１】
【補正対象書類名】明細書
【補正対象項目名】００１４
【補正方法】変更
【補正の内容】
【００１４】
フィラーネック１０は、その下端側で締結部７０によりフィラーパイプＦＰ（図１参照）に締結され、給油ノズルＦＮ（図１参照）から吐出される燃料を燃料タンクＦＴへ送るための機構であり、ネック本体２０と、流路形成補助部材３０と、下端開閉機構４０と、挿入流路形成部材６０と、締結部７０とを備える。締結部７０は、フィラーネック１０に組み込み装着される二つの締結ピース８０と弾発力を発生する弾発部材９０とを有する。締結ピース８０は、フィラーネック１０にその左右から着脱自在であり、弾発部材９０は、フィラーネック１０に組み込み装着された状態の締結ピース８０に、弾発力を、装着状態を維持する力として及ぼす。フィラーネック１０への締結ピース８０の組込の様子、並びに締結ピース８０の構成については後述する。
【手続補正２】
【補正対象書類名】明細書
【補正対象項目名】００１５
【補正方法】変更
【補正の内容】
【００１５】
フィラーネック１０は、筒状形状のネック本体２０にその下端でパイプ係合部２１を連続させて備え、挿入流路形成部材６０の側の給油口ＦＣ（図１参照）からパイプ係合部２１の末端までノズル挿入流路部１２を形成する。ノズル挿入流路部１２は、給油ノズルＦＮが挿入される流路部であって、フィラーネック１０が形成する燃料流路１１にフィラーパイプＦＰのパイプ開口端ＰＴで連通する。ノズル挿入流路部１２は、流路形成補助部材３０と挿入流路形成部材６０により、給油口ＦＣの側の上流側流路部１２ｕとフィラーパイプＦＰの側の下流側流路部１２ｄに区画されている。このようにノズル挿入流路部１２を形成するフィラーネック１０は、本願における流路形成部材に相当する。
【手続補正３】
【補正対象書類名】明細書
【補正対象項目名】００１６
【補正方法】変更
【補正の内容】
【００１６】
ネック本体２０は、ノズル挿入流路部１２の上流側に、流路形成補助部材３０と挿入流路形成部材６０とを装着して備え、ノズル挿入流路部１２の末端側をパイプ係合部２１とする。このパイプ係合部２１は、図３に示すように、締結ピース挿入孔２２ａと、締結ピース挿入凹部２２ｂと、係合凸部２３を備える。締結ピース挿入孔２２ａは、図３の紙面手前側から紙面奥側に掛けてパイプ係合部２１を外周壁側から貫通するよう形成され、後述の締結部７０の組み付け装着に用いられる。締結ピース挿入凹部２２ｂは、後述の締結部７０が有する突起部８４が入り込む凹所であり、係合凸部２３は、パイプ係合部２１の外周壁から隆起して形成され、弾発部材９０の抜止機能を果たす。
【手続補正４】
【補正対象書類名】明細書
【補正対象項目名】００２３
【補正方法】変更
【補正の内容】
【００２３】
挿入流路形成部材６０は、給油ノズルＦＮが挿入されるノズル挿入側でフィラーネック１０に装着され、ノズル案内壁６１と隔壁部６３とノズル案内突起６６とを有する。ノズル案内壁６１は、流路形成補助部材３０のシールリップ壁３２の流路内径側に位置する環状の部材であり、ノズル挿入側のノズル挿入流路部１２において給油ノズルＦＮの挿入流路部である上流側流路部１２ｕを形成する。そして、このノズル案内壁６１は、給油ノズルＦＮを下端開閉機構４０に向けて案内する。なお、挿入流路形成部材６０にフラップ弁タイプの他の部材が装着された場合には、ノズル案内壁６１は、上流側流路部１２ｕの少なくとも一部を形成することになる。
【手続補正５】
【補正対象書類名】明細書
【補正対象項目名】００２４
【補正方法】変更
【補正の内容】
【００２４】
隔壁部６３は、上流側流路部１２ｕをその軸回りに取り囲む環状通路６２をノズル案内壁６１と区画して形成する。隔壁部６３は、環状通路６２を挟んで向かい合う通路内側壁６３ａと通路外側壁６３ｂおよび天井壁６３ｃから構成され、通路内側壁６３ａをノズル案内壁６１の上端から延ばしている。挿入流路形成部材６０は、図４に示すように、フィラーネック１０に装着された状態で、隔壁部６３が上記の通路内側壁６３ａと通路外側壁６３ｂと天井壁６３ｃで囲い込んだ環状通路６２を、ノズル案内壁６１の下端側の連通室６５ｕに連続させる。この環状通路６２は、隔壁部６３における通路外側壁６３ｂに形成された大気連通孔６４により、大気と連通する。挿入流路形成部材６０の下流側に位置する流路形成補助部材３０は、中間壁３７を大気連通孔６４と向かい合う位置に備えるので、この中間壁３７が形成されていない残余の領域では、上端フランジ部６７を環状通路６２の底壁とする。そして、挿入流路形成部材６０は、連通室６５ｕの底壁となる流路形成補助部材３０の中間壁３７における開口３６を、環状通路６２を上流側流路部１２ｕより下流側のノズル挿入流路部１２と連通する流路連通孔とする。上記した構成の挿入流路形成部材６０は、ネック本体２０と同様、耐燃料透過性を有するＰＡなどから形成される。
【手続補正６】
【補正対象書類名】明細書
【補正対象項目名】００３０
【補正方法】変更
【補正の内容】
【００３０】
図１０は挿入完了の際の給油ノズルＦＮを下端開閉機構４０の挙動と関係付けて示す説明図である。本実施形態の給油装置ＦＳを用いた燃料給油の際、給油ノズルＦＮは、挿入流路形成部材６０のノズル案内突起６６に案内されて上流側流路部１２ｕに挿入され、ノズル先端を下端開閉機構４０の開閉部材４１に押し付ける。その後も給油ノズルＦＮは挿入されることから、図１０に示すように、給油ノズルＦＮは、開閉部材４１を押し付けて回動させ、下流側流路部１２ｄまで達する。ここまでのノズル挿入の後、給油ノズルＦＮから燃料が吐出され、その吐出された燃料は、フィラーネック１０にパイプ係合部２１で締結部７０により締結されたフィラーパイプＦＰを経て、燃料タンクＦＴ（図１参照）に導かれる。
【手続補正７】
【補正対象書類名】明細書
【補正対象項目名】００３８
【補正方法】変更
【補正の内容】
【００３８】
既述した実施形態では、挿入流路形成部材６０に他の開閉弁機構を組み込んでいないが、挿入流路形成部材６０をカバーするように他の開閉弁機構、例えば、給油ノズルＦＮにより押し開きされるフラップ弁タイプや、給油ノズルＦＮによりスライド開閉するスライド弁タイプの開閉弁機構を装着するようにしてもよい。
【手続補正８】
【補正対象書類名】明細書
【補正対象項目名】００３９
【補正方法】変更
【補正の内容】
【００３９】
１０…フィラーネック
１１…燃料流路
１１ｉ…流路内周壁
１１ｏ…流路外周壁
１１ｔ…周縁壁
１２…ノズル挿入流路部
１２ｄ…下流側流路部
１２ｕ…上流側流路部
１６…燃料蒸気ポート
２０…ネック本体
２１…パイプ係合部
２２ａ…締結ピース挿入孔
２２ｂ…締結ピース挿入凹部
２３…係合凸部
２４…パイプ挿入孔
２５…フランジ留置孔
２６…パイプ挿入孔部
２７…シール材受部
２８…シール材
２９…開口端挿入凹所
３０…流路形成補助部材
３１…シール材
３２…シールリップ壁
３３…負圧解消弁機構
３４…弁体
３５…スプリング
３６…開口
３７…中間壁
４０…下端開閉機構
４１…開閉部材
４２…シール材
６０…挿入流路形成部材
６１…ノズル案内壁
６２…環状通路
６３…隔壁部
６３ａ…通路内側壁
６３ｂ…通路外側壁
６３ｃ…天井壁
６４…大気連通孔
６５ｕ…連通室
６６…ノズル案内突起
７０…締結部
８０…締結ピース
８１…パイプ把持片
８２…パイプ把持部
８２ａ…傾斜面部
８３…溝部
８４…突起部
９０…弾発部材
９１…弾発部材端部
ＡＸ…中心軸
ＢＶ…ガス放出弁
ＦＣ…給油口
ＦＥ…装着部材
ＦＮ…給油ノズル
ＦＰ…フィラーパイプ
ＦＲ…給油室
ＦＳ…給油装置
ＦＴ…燃料タンク
ＮＴ…燃料蒸気チューブ
ＰＦ…フランジ
ＰＴ…パイプ開口端
ＴＶ…逆止弁